(57)【要約】      （修正有）【課題】ドアを閉めると直ちにマイクロ波加熱を行い、迅速かつ簡単に操作でき、操作の流れを減らすことで時間を節約できる商用電子レンジを提供する。【解決手段】商用電子レンジは、本体とドアとドア閉成検知手段３０とスキャン装置４０とプロセッサと、を含む。本体は、開口部と収容空間とを含み、ドアが本体に枢設され、選択的に開口部から離れる又は覆うことができ、ドア閉成検知手段はドアと本体との間に設けられ、ドアが開口部に覆われた時、ドア閉成信号を伝送する。スキャン装置は、収容空間内の内壁に設けられ、スキャンにより加熱火力パラメータ及び加熱時間パラメータが得られる。プロセッサは、本体に設けられると共にドア閉成検知手段及びスキャン装置に電気的に接続され、かつプロセッサがドア閉成信号を受信すると、本体を制御して加熱火力パラメータ及び加熱時間パラメータを実行する。【選択図】図１
0003224840.tif 000002
【実用新案登録請求の範囲】
【請求項１】
開口部と収容空間とを含む本体と、
前記本体に枢設され、また選択的に前記開口部から離れる又は覆うことができるドアと、
前記ドアと前記本体との間に設けられ、前記ドアが前記開口部に覆われた時、ドア閉成信号を伝送するドア閉成検知手段と、
前記収容空間内の内壁に設けられ、スキャンにより加熱火力パラメータ及び加熱時間パラメータが得られるスキャン装置と、
前記本体に設けられると共に前記ドア閉成検知手段及び前記スキャン装置に電気的に接続され、かつ前記ドア閉成信号を受信すると、前記本体を制御して前記加熱火力パラメータ及び前記加熱時間パラメータを実行するプロセッサと、
を含む、商用電子レンジ。
【請求項２】
前記スキャン装置は、バーコードスキャナであり、前記加熱火力パラメータ及び前記加熱時間パラメータがバーコードラベル内に記録させ、前記バーコードスキャナがバーコードラベルをスキャンして読み取ると前記加熱火力パラメータ及び前記加熱時間パラメータを得る、請求項１に記載の商用電子レンジ。
【請求項３】
前記スキャン装置は、光学撮像装置であり、前記加熱火力パラメータ及び前記加熱時間パラメータが図文ラベル内に記録させ、前記光学撮像装置が図文ラベルをスキャン並びに識別すると、前記加熱火力パラメータ及び前記加熱時間パラメータを得る、請求項１に記載の商用電子レンジ。
【請求項４】
前記スキャン装置は、前記収容空間内の内頂壁に設けられると共に前記開口部に近いスキャン窓部を備える、請求項１に記載の商用電子レンジ。
【請求項５】
前記本体は、操作パネルを更に含むことができ、前記操作パネルが前記プロセッサに電気的に接続され、前記加熱火力パラメータ或いは前記加熱時間パラメータを変更や調整するために用いられる、請求項１に記載の商用電子レンジ。
【請求項６】
前記本体は、メモリを更に含み、前記メモリが前記プロセッサに電気的に接続され、操作パネルで変更や調整された前記加熱火力パラメータ或いは前記加熱時間パラメータを保存する、請求項５に記載の商用電子レンジ。
【請求項７】
前記本体は、メモリを更に含み、前記メモリが前記プロセッサに電気的に接続され、前記加熱火力パラメータ或いは前記加熱時間パラメータ又はそれらの組み合わせを保存する、請求項１に記載の商用電子レンジ。
【請求項８】
前記本体は、表示部を更に含み、前記表示部が前記プロセッサに電気的に接続され、前記加熱火力パラメータ或いは前記加熱時間パラメータ又はそれらの組み合わせを表示する、請求項１に記載の商用電子レンジ。
【請求項９】
前記本体は、メモリを更に含み、前記メモリが前記表示部に表示される前記加熱火力パラメータ或いは前記加熱時間パラメータ又はそれらの組み合わせを保存している、請求項８に記載の商用電子レンジ。
【請求項１０】
前記ドア閉成検知手段は、マイクロスイッチ、リミットスイッチ或いは近接スイッチである、請求項１に記載の商用電子レンジ。
【考案の詳細な説明】
【技術分野】
【０００１】
本考案は、電子レンジに関し、特に、自動スキャン及びマイクロ波加熱の商用電子レンジに関する。
【背景技術】
【０００２】
一般的な商業施設では、マイクロ波加熱が可能な様々な食品或いは飲料が提供されている場合、消費者に商業施設内でこれら商品を購入した後、加熱調理操作をさせるため、商業施設内に１台以上の商用電子レンジを店員或いは消費者のために備え付けてられている。店員或いは消費者に電子レンジをシンプル且つ直感的に操作させるため、従来の商用電子レンジには一定個数のボタンが設けられ、これらボタンに各々特定のマイクロ波加熱火力及び加熱時間があらかじめ設定されたため、店員或いは消費者が対応するボタンを押すと、商品のマイクロ波加熱することができ、時間を費やして電子レンジの火力と加熱時間を調整や設定する必要がない。
【０００３】
しかしながら、販売されているレンジ調理商品の品目が絶え間なく増えており、元々設定済みの特定ボタンでは足りない時、又は消費者のニーズ或いは異なるレンジ調理商品について状況を見てマイクロ波火力及び時間を微調整する必要がある時、対応するボタンが見つからず、店員或いは消費者が電子レンジを開いて最も近いボタンを押して対応するため、柔軟性がなく、且つ過程も煩雑で実務上のニーズに適合していない。
【考案の概要】
【考案が解決しようとする課題】
【０００４】
本考案は、かかる従来の問題点に鑑みてなされたもので、商用電子レンジを提供する。
【課題を解決するための手段】
【０００５】
本考案は、本体とドアとドア閉成検知手段とスキャン装置とプロセッサと、を含む商用電子レンジを提供する。本体は、開口部と収容空間とを含み；ドアは、本体に枢設され、また選択的に開口部から離れる又は覆うことができ；ドア閉成検知手段は、ドアと本体との間に設けられ、ドアが開口部に覆われた時、ドア閉成信号を伝送し；スキャン装置は、収容空間内の内壁に設けられ、スキャンにより加熱火力パラメータ及び加熱時間パラメータが得られ；プロセッサは、本体に設けられると共にドア閉成検知手段及びスキャン装置に電気的に接続され、かつプロセッサがドア閉成信号を受信すると、本体を制御して加熱火力パラメータ及び加熱時間パラメータを実行する。よって、本考案に係る商用電子レンジは、ドアが閉めると、直ちにマイクロ波加熱を行い、迅速かつ非常に簡単に操作できる。
【０００６】
幾つかの実施例において、スキャン装置は、バーコードスキャナとすることができ、加熱火力パラメータ及び加熱時間パラメータがバーコードラベル内に記録させることができ、前記バーコードスキャナがバーコードラベルをスキャンして読み取ると加熱火力パラメータ及び加熱時間パラメータを得ることができる。
【０００７】
幾つかの実施例において、スキャン装置は、光学撮像装置とすることができ、加熱火力パラメータ及び加熱時間パラメータが図文ラベル内に記録させることができ、前記光学撮像装置が図文ラベルをスキャン並びに識別すると、加熱火力パラメータ及び加熱時間パラメータを得ることができる。
【０００８】
幾つかの実施例において、スキャン装置は、収容空間内の内頂壁に設けられると共に開口部に近いスキャン窓部を備えることができる。よって、スキャン装置は、スキャン窓部を通じて外部のバーコードラベル、図文ラベル、電子ラベル或いは加熱火力パラメータ及び加熱時間パラメータが記録された他の均等物をスキャンできる。
【０００９】
幾つかの実施例において、本体は、操作パネルを更に含むことができ、操作パネルがプロセッサに電気的に接続され、加熱火力パラメータ或いは加熱時間パラメータを変更や調整できる。よって、本考案に係る商用電子レンジは、消費者のニーズ又は異なるレンジ調理商品のニーズについてマイクロ波火力及び時間を簡単に微調整でき、より柔軟に使用する効果を有する。
【００１０】
幾つかの実施例において、スキャン装置は、メモリを更に含むことができ、メモリがプロセッサに電気的に接続され、加熱火力パラメータ或いは加熱時間パラメータを保存でき、又は操作パネルで変更や調整された加熱火力パラメータ或いは加熱時間パラメータを保存できる。
【００１１】
幾つかの実施例において、本体は、表示部を更に含むことができ、表示部がプロセッサに電気的に接続され、加熱火力パラメータ或いは加熱時間パラメータ又はそれらの組み合わせを表示できる。
【００１２】
幾つかの実施例において、メモリは、表示部に表示される加熱火力パラメータ或いは加熱時間パラメータ又はそれらの組み合わせを保存できる。
【００１３】
幾つかの実施例において、ドア閉成検知手段は、マイクロスイッチ、リミットスイッチ或いは近接スイッチとすることができる。
【考案の効果】
【００１４】
上記をまとめて、本考案に係る商用電子レンジは、迅速に操作でき、柔軟に使用でき、ボタンが対応する加熱時間及び加熱火力に限定されず、ドアを閉めるとマイクロ波プロセスを進め、煩雑な使用過程を減らすことで時間を節約し、かつ手動の操作パネルを通じてパラメータを微調整や変更でき、実務上のニーズに適合する。
【００１５】
以下に、実施形態において本考案の詳細な特徴及びび利点を詳述し、その内容は当業者に本考案の技術内容について十分理解してもらうと共にこれをもって実施できる。且つ本明細書で開示される内容、実用新案登録請求の範囲及びび図面に基づくと、当業者も簡単に本考案に係わる目的及びび利点を理解できる。
【図面の簡単な説明】
【００１６】
【図１】本考案の実施例１に係る電子レンジの使用状態を示す模式図である。
【図２】本考案の実施例１に係る電子レンジの電子素子間の電気的に接続するブロック図である。
【図３】本考案の実施例２に係る電子レンジの使用状態を示す模式図である。
【考案を実施するための形態】
【実施例１】
【００１７】
図１及び図２を参照すると、本考案の実施例１に係る電子レンジであり、図１は使用状態を示す模式図で、図２が電子素子間の電気的に接続するブロック図である。図１を参照すると、本実施例に係る電子レンジ１００は、本体１０、ドア２０、ドア閉成検知手段３０、スキャン装置４０及びプロセッサ５０を含む。
【００１８】
図１を参照すると、本実施例に係る商用電子レンジは、コンビニエンスストア内に使用され、電子レンジ１００の本体１０の一側に開口部１１が開設されると共に内部に収容空間１２が形成され、ドア２０が本体１０に枢設され、また選択的に開口部１１から離れる或いは覆うことができ、本実施例のドア閉成検知手段３０がドア２０と本体１０との間に設けられ、ドア２０が開口部１１に覆われた時、ドア閉成検知手段３０はドア閉成信号を出力できる。スキャン装置４０は、収容空間１２内の頂面にある内壁１３に設けられ、開口部１１を通過する商品をスキャンして加熱火力パラメータ及び加熱時間パラメータを得ることができる。具体的に言えば、本実施例のスキャン装置４０は、スキャン窓部４７を備え、スキャン窓部４７が収容空間１２中の内頂壁１４に開設され、図１に示すように、本実施例のスキャン窓部４７は開口部１１に近いため、開口部１１を通過する物品を常時スキャンできる。本実施例のスキャン装置４０は、バーコードスキャナ４３を用い、商品Ａ上のバーコードラベル４４をスキャンしてバーコードラベル４４内に記録させている加熱火力パラメータ及び加熱時間パラメータを読み取ると、マイクロ波パラメータデータを得ることができる。
【００１９】
図１及び図２を参照すると、本体１０内に設けられたプロセッサ５０は、ドア閉成検知手段３０及びスキャン装置４０に電気的に接続されるため、ドア閉成信号を受信すると、直ちに本体１０を制御して加熱火力パラメータ及び加熱時間パラメータを実行することで、商品Ａを加熱することができる。よって、本実施例内の商用電子レンジは、ドア２０が閉められると、直ちにマイクロ波加熱を行い、迅速に操作でき、煩雑な使用過程を減らすことで時間を節約できる。
【００２０】
図１を参照すると、実施例１において、操作パネル６０は、ボタン式であるが、これに限定されず、他の実施例において，操作パネル６０もタッチパネル（例えば外付け式又は埋込式タッチパネル）に変更できる。
【００２１】
図１及び図２を参照すると、実施例１の本体１０内に操作パネル６０が更に設けられると共にプロセッサ５０に電気的に接続され、操作パネル６０は、利用者に加熱火力パラメータ或いは加熱時間パラメータを変更や調整させることができるため、柔軟に使用でき、従来のボタンが対応する加熱時間及び加熱火力に限定されない。
【００２２】
図１及び図２を参照すると、実施例１の本体１０内にメモリ４８が更に設けられると共にプロセッサ５０に電気的に接続され、メモリ４８は、操作パネル６０で変更や調整した後の加熱火力パラメータ或いは加熱時間パラメータ又はそれらの組み合わせを保存するために用いられる。
【００２３】
スキャン装置４０は、スキャン窓部４７を通じて外部のバーコードラベル４４、図文ラベル４６、電子ラベル或いは加熱火力パラメータ及び加熱時間パラメータが記録された均等物をスキャンすることができる。
【００２４】
図１及び図２を参照すると、実施例１において、本体１０は、プロセッサ５０に電気的に接続される表示部７０を更に含み、利用者に見せるため、表示部７０が加熱火力パラメータ或いは加熱時間パラメータを表示できる。利用者は、状況を見て本来のバーコードラベル４４、図文ラベル４６、電子ラベルで提供されるマイクロ波プロセスを調整する必要がある場合、操作パネル６０で加熱火力パラメータ或いは加熱時間パラメータ又はそれらの組み合わせを変更でき、消費者のニーズ、或いは異なるレンジ調理商品のニーズに応じて簡単にマイクロ波火力及び時間を微調整できるため、より柔軟に使用する効果を有する。
【実施例２】
【００２５】
図３を参照すると、図３は、本考案の実施例２に係る電子レンジの使用状態を示す模式図である。本実施例において、その中の要素はほぼ実施例１と同じで、本実施例のスキャン装置４０は、光学撮像装置４５を用い、商品Ａ上の図文ラベル４６をスキャンして図文ラベル４６内に記録させた加熱火力パラメータ及び加熱時間パラメータを読み取ると、マイクロ波パラメータデータを得ることができる。
【００２６】
本考案の別の実施例において、スキャン装置４０は、バーコードスキャナ４３を用い、商品Ａ上のバーコードラベル４４をスキャンでき、プロセッサ５０がバーコードスキャナ４３から伝送してきたバーコード情報を受信した後、バーコード情報を解読して商品Ａの加熱火力パラメータ及び加熱時間パラメータを得る。
【００２７】
その他の実施例において、ドア閉成検知手段３０は、マイクロスイッチ、リミットスイッチ或いは近接スイッチに変更してもよく、いずれも迅速な操作、煩雑な使用過程の減少及び時間節約の効果を奏することができる。
【００２８】
例えば、冷凍庫から取り出した食材を先に低出力の加熱火力で解凍してから高出力の火力で食材を調理し、中出力の火力で食材に味を浸み込ませ、この３段階の加熱火力及び時間は、ラベルジェネレータを通じてバーコードラベル４４、図文ラベル４６、電子ラベル等を作成してマイクロ波加熱の必要がある食材に貼付して電子レンジ１００上のスキャン装置４０に読み取らせることができ、１回のドア開閉を通じてマイクロ波加熱プロセスを終え、操作の流れを簡略化する。バーコードジェネレータを通じてバーコードラベル４４、図文ラベル４６、電子ラベル等を作成し、マイクロ波加熱の食品或いは飲料によって調整でき、無限組のマイクロ波方式の組み合わせがあり、利用者が１つずつ設定する必要がなく、人員の操作の流れを簡略化して時間を節約する。
【産業上の利用可能性】
【００２９】
上記をまとめて、本考案に係る商用電子レンジは、迅速に操作でき、柔軟に使用でき、ボタンが対応する加熱時間及び加熱火力に限定されず、ドアを閉めるとマイクロ波プロセスを進め、煩雑な使用過程を減らすことで時間を節約し、かつ手動の操作パネルを通じてパラメータを微調整や変更でき、実務上のニーズに適合する。
【符号の説明】
【００３０】
１００  電子レンジ
１０    本体
１１    開口部
１２    収容空間
１３    内壁
１４    内頂壁
２０    ドア
３０    ドア閉成検知手段
４０    スキャン装置
４３    バーコードスキャナ
４４    バーコードラベル
４５    光学撮像装置
４６    図文ラベル
４７    スキャン窓部
４８    メモリ
５０    プロセッサ
６０    操作パネル
７０    表示部
Ａ  商品
【図１】
0003224840.tif 000003
【図２】
0003224840.tif 000004
【図３】
0003224840.tif 000005